(57)【要約】【課題】柄部に使用する合成樹脂を大幅に減らすことにより、合成樹脂使用量の少量化をはかると共に、柄部の強度を低下させることなく、しかも製品価格も安くすることができる合成樹脂製飲食具を提供する。【解決手段】柄部１に複数の孔３を設けると共に、柄部１の裏面１ａの幅方向における中間部に、これら複数の孔３に交差しないように、柄部１の一端から他端にかけて連続したリブ４を形成したものとしている。さらに、前記柄部１の裏面１ａの周端部の全周にリブ５を形成したものとしている。【選択図】図２
0003165754.tif 000002
【実用新案登録請求の範囲】
【請求項１】
柄部（１）に複数の孔（３）を設けると共に、柄部（１）の裏面（１ａ）の幅方向における中間部に、これら複数の孔（３）に交差しないように、柄部（１）の一端から他端にかけて連続したリブ（４）を形成したことを特徴とする合成樹脂製飲食具。
【請求項２】
前記柄部（１）の裏面（１ａ）の周端部の全周にリブ（５）を形成したことを特徴とする請求項１記載の合成樹脂製飲食具。
【請求項３】
前記リブ（４、５）は、厚さ（Ｔａ）を前記柄部（１）の厚さ（Ｔｂ）の１〜５倍にしており、幅（Ｗａ）を前記柄部（１）の幅（Ｗｂ）の１／２０〜１／５倍にしたことを特徴とする請求項２記載の合成樹脂製飲食具。
【請求項４】
前記柄部（１）の厚さ（Ｔｂ）を、柄部としての本来の強度を有することのできる厚さ（Ｔｃ）の１／５〜１／３倍にしたことを特徴とする請求項１〜３の何れかに記載の合成樹脂製飲食具。
【請求項５】
前記複数の孔（３）の開口面積の総計を、前記柄部（１）の全表面積の５〜３０％にしたことを特徴とする請求項１〜４の何れかに記載の合成樹脂製飲食具。
ものとしている。
【考案の詳細な説明】
【技術分野】
【０００１】
この考案は、合成樹脂製のフォークやスプーンなどの飲食具に関するものである。
【背景技術】
【０００２】
従来、この種の合成樹脂製飲食具としては、例えば、図７、８に示したようなものが存在する。この合成樹脂製飲食具は、石油を原料とした合成高分子脂肪族系生分解性樹脂エンポールでフォークやスプーンの本体１１を構成し、それらの柄部１２の先端１２ａを平たく広げ、その平たく広げた部分に、菱形、丸形、星形などの種々の形状の孔１３を形成したものとしている（特許文献１）。
【０００３】
このように構成された従来の合成樹脂製飲食具は、廃棄処理する際に、埋め立て処分すれば生分解するので、環境汚染の発生を防止することができるとしている。そして、前記柄部１２に種々の形状の孔１３を形成すると、柄部１２の表面積を拡大することができ、生分解を促進することができるとしている。
【０００４】
さらに、この種の合成樹脂製飲食具としては、図９に示したようなものが存在する。この合成樹脂製飲食具は、柄部２１と掬水部２２とからなり、その掬水部２２の柄部２１寄りの底面に小径の多数の孔２３を設けたものとしている（特許文献２）。
【０００５】
このように構成された従来の合成樹脂製飲食具は、スープ内からコーン粒等の小片の具を容易に掬い取ることができ、しかもスープ等の飲料にも使用することができ、大変便利であるとしている。
【先行技術文献】
【特許文献】
【０００６】
【特許文献１】実用新案登録第３０８５５１３号公報
【特許文献２】実開平１ー１５５８７５号公報
【考案の概要】
【考案が解決しようとする課題】
【０００７】
図７、８に示した従来の合成樹脂製飲食具は、柄部１２の先端１２ｂを平たく広げ、その部分に孔１３を形成したものとしているので、その孔１３を形成した分、原材料としての合成樹脂の使用量は少なくなっているといえる。しかし、この合成樹脂製飲食具において、前記孔１３を形成した理由は、廃棄処理時に生分解を促進させ、環境汚染の発生を防止することであって、それほど合成樹脂使用量の少量化にはつながっておらず、むしろ柄部１２の強度の低下につながって耐久性に劣ったものになり、しかも高価な生分解性合成樹脂を使用しているため、製品価格も高くなるという問題点を有している。
【０００８】
また、図９に示した従来の合成樹脂製飲食具は、掬水部２２に多数の孔２３を設けているので、その孔２３を形成した分、原材料としての合成樹脂の使用量は少なくなっているといえる。しかし、この合成樹脂製飲食具においても、前記孔２３を形成した理由は、小片の具を容易に掬い取ることができ、しかも飲料にも使用することができ便利なものにすることであって、それほど合成樹脂使用量の少量化にはつながっておらず、むしろ柄部２２の強度の低下につながって耐久性に劣ったものになるという問題点を有している。
【０００９】
そこで、この考案は、柄部に使用する合成樹脂を大幅に減らすことにより、合成樹脂使用量の少量化をはかると共に、柄部の強度を低下させることなく、しかも製品価格も安くすることができる合成樹脂製飲食具を提供することを目的としてなされたものである。
【課題を解決するための手段】
【００１０】
この考案の合成樹脂製飲食具は、柄部１に複数の孔３を設けると共に、柄部１の裏面１ａの幅方向における中間部に、これら複数の孔３に交差しないように、柄部１の一端から他端にかけて連続したリブ４を形成したものとしている。
【００１１】
さらに、この考案の合成樹脂製飲食具は、前記柄部１の裏面１ａの周端部の全周にリブ５を形成したものとしている。
【００１２】
そして、この考案の合成樹脂製飲食具では、前記リブ４、５は、厚さＴａを前記柄部１の厚さＴｂの１〜５倍にしており、幅Ｗａを前記柄部１の幅Ｗｂの１／２０〜１／５倍にしたものとしている。
【００１３】
さらに、この考案の合成樹脂製飲食具は、前記柄部１の厚さＴｂを、柄部としての本来の強度を有することのできる厚さＴｃの１／５〜１／３倍にしたものとしている。
【００１４】
また、この考案の合成樹脂製飲食具は、前記複数の孔３の開口面積の総計を、前記柄部１の全表面積の５〜３０％にしたものとしている。
【考案の効果】
【００１５】
この考案の合成樹脂製飲食具は、以上に述べたように構成されているので、柄部に使用する合成樹脂を大幅に減らすことができ、合成樹脂使用量の少量化をはかると共に、柄部の強度を低下させることなく、しかも製品価格を安くすることができるものとなった。
【図面の簡単な説明】
【００１６】
【図１】この考案の合成樹脂製飲食具の平面図である。
【図２】この考案の合成樹脂製飲食具の底面図である。
【図３】図２中の円で囲んだ部分の拡大図ある。
【図４】この考案の合成樹脂製飲食具を底面寄りから見た斜視図である。
【図５】図２中のＡ−Ａ線による断面図である。
【図６】図５中の円で囲んだ部分の拡大図ある。
【図７】従来の合成樹脂製飲食具をスプーンとした一例を示す斜視図である。
【図８】従来の合成樹脂製飲食具をフォークとした一例を示す斜視図である。
【図９】従来の合成樹脂製飲食具をスプーンとした他の例を示す平面図である。
【考案を実施するための形態】
【００１７】
以下、この考案の合成樹脂製飲食具を実施するための形態を、図面に基づいて詳細に説明する。
【００１８】
この考案の合成樹脂製飲食具は、図１〜６に示したように、ポリスチレンなど合成樹脂からなり、柄部１の先端に頭部２を有したものとしている。
【００１９】
前記柄部１には、複数の孔３を設けると共に、裏面１ａの幅方向における中間部に、これら複数の孔３に交差しないように、一端から他端にかけて連続したリブ４を形成したものとしている。さらに、前記柄部１には、裏面１ａの周端部の全周にリブ５を形成したものとしている。これらリブ４、５は、その厚さＴａを柄部１の厚さＴｂの１〜５倍、好ましくは２〜３倍にしており、その幅Ｗａを柄部１の幅Ｗｂの１／２０〜１／５倍、好ましくは１／１２〜１／８倍にしている。
【００２０】
このようにすると、前記柄部１の厚さＴｂを、柄部としての本来の強度を有することのできる厚さＴｃの１／５〜１／３倍にしても、柄部としての本来の強度を有するものとなる。なお、前記柄部１の厚さＴｂを、柄部としての本来の強度を有することのできる厚さＴｃと同一にしておくと、柄部としての本来の強度を有するものより、より一層、強度に優れたものとなるのはいうまでもない。
【００２１】
図示したものでは、前記柄部１の実寸は、厚さＴｂを約１.０ｍｍ、厚さＴｃを約４.０ｍｍ、幅Ｗｂを約１３ｍｍとして実施し、前記リブ４、５の実寸は、厚さＴａを約３.０ｍｍ、幅Ｗａを約１.４ｍｍとして実施した。
【００２２】
前記頭部２は、図示したものではフォーク形状としているが、スプーン形状やナイフ形状などとすることができ、その頭部２の柄部１寄りには、必要に応じて、孔６を設けたものとしている。
【００２３】
前記複数の孔３は、それぞれ丸形、菱形、星形、ハート形などとしてデザイン化したものとすることができ、これら複数の孔３の開口面積の総計を、柄部１の全表面積の５〜３０％にしたものとしている。このようにすると、前記柄部１の強度は、リブ４、５の存在により、これら複数の孔３によっても低下することはない。
【００２４】
さらに、前記柄部１寄りに設けた孔６も、前記複数の孔３と同様に、丸形、菱形、星形、ハート形などとしてデザイン化したものとしたり、従来例に示したような具入りスープ等に使用するのに適したものとすることができる。
【００２５】
以上のように構成したこの考案の合成樹脂製飲食具は、柄部１の厚さＴｂを、柄部としての本来の強度を有することのできる厚さＴｃの１／５〜１／３倍にしても、柄部としての本来の強度を有するものとなり、柄部１の強度を低下させることがないものとなった。
【００２６】
さらに、この考案の合成樹脂製飲食具は、柄部１の厚さＴｂを、柄部としての本来の強度を有することのできる厚さＴｃの１／５〜１／３倍にすることにより、柄部１に使用する合成樹脂を大幅に減らすことができ、合成樹脂使用量の省力化をはかれるものとなった。
【００２７】
また、この考案の合成樹脂製飲食具は、柄部１に使用する合成樹脂を大幅に減らすことができるので、製品価格も安くすることができるものとなった。
【００２８】
なお、この考案の合成樹脂製飲食具は、前記柄部１の厚さＴｂを、柄部としての本来の強度を有することのできる厚さＴｃと同じにした場合には、柄部１に使用する合成樹脂を減らすことはできないが、柄部としての本来の強度を有するものより、より一層、強度に優れたものとなって、耐久性に富んだものとなり、単に使い捨てだけでなく、再使用可能な飲食具としての用途も見出せるものとなった。
【符号の説明】
【００２９】
１  柄部
１ａ  裏面
３  孔
４  リブ
５  リブ
Ｔａ  厚さ
Ｔｂ  厚さ
Ｔｃ  厚さ
Ｗａ  幅
Ｗｂ  幅
【図１】
0003165754.tif 000003
【図２】
0003165754.tif 000004
【図３】
0003165754.tif 000005
【図４】
0003165754.tif 000006
【図５】
0003165754.tif 000007
【図６】
0003165754.tif 000008
【図７】
0003165754.tif 000009
【図８】
0003165754.tif 000010
【図９】
0003165754.tif 000011